(57)【要約】【課題】人為的操作による雑音の発生を抑制することが可能な携帯端末表示装置及びこれを備えた携帯端末装置を提供する。【解決手段】液晶を封入した液晶層１０３と、液晶層１０３の表示面側に設けた、液晶層１０３に所定の電界を印加して駆動する為の透明電極１０２と、透明電極１０２と空気層１１３を介して設けた、液晶層１０３を保護する為のアクリルパネル１１２とを備え、アクリルパネル１１２が帯電することにより、アクリルパネル１１２及び透明電極１０２が静電スピーカ構造を形成する携帯端末用液晶表示装置であって、静電スピーカ構造の形成を防止するための帯電防止層１１６を、前記保護部材の少なくとも一方の面に設けた。【選択図】  図１
2004258190.tif 000002
【特許請求の範囲】
【請求項１】
所定の電圧を印加して駆動する駆動電極を有する表示素子と、前記表示素子の表示面側に対向して設けた前記表示素子を保護する面状の保護部材とを備えた携帯端末用表示装置であって、
前記保護部材のいずれかの面に、前記保護部材への帯電を防止する帯電防止層を設けた携帯端末用表示装置。
【請求項２】
請求項１記載の携帯端末用表示装置であって、
前記表示素子と前記保護部材との間に、前記帯電防止層を更に設けた携帯端末用表示装置。
【請求項３】
請求項１記載の携帯端末用表示装置であって、
前記表示素子の表示面に、前記帯電防止層を更に設けた携帯端末用表示装置。
【請求項４】
請求項３記載の携帯端末用表示装置であって、
前記表示素子の表示面には偏光板が設けられ、
前記帯電防止層は、前記偏光板の前記保護部材と対向する面に設けたものである携帯端末用表示装置。
【請求項５】
請求項３又は４記載の携帯端末用表示装置であって、
前記更に設けられた帯電防止層と前記保護部材との間に、前記帯電防止層を更に設けた携帯端末用表示装置。
【請求項６】
請求項１〜５のいずれか記載の携帯端末用表示装置であって、
前記帯電防止層を所定の電位に電気的に接続した携帯端末用表示装置。
【請求項７】
請求項１〜６のいずれか記載の携帯端末用表示装置と、
前記携帯端末用表示装置の前記保護部材と同一面で、且つ前記携帯端末用表示装置の近傍に設けられた受話を行うための受話部とを備える携帯端末装置。
【発明の詳細な説明】
【０００１】
【発明の属する技術分野】
本発明は、携帯電話機等の携帯端末に搭載される携帯端末用表示装置及びこれを搭載した携帯端末装置に関する。
【０００２】
【従来の技術】
近年、携帯端末機器、携帯電話機、及び小型情報機器等の携帯端末には、その表示装置として液晶表示装置が用いられ、必要な情報を得ている。携帯電話機等に用いられる液晶表示装置については、小型化及び軽量化という要求に応じるべく、液晶表示パネルの薄型化が求められている。
【０００３】
図４は、携帯電話機に適用した従来の液晶表示装置の要部を示す縦断面図である。従来の液晶表示装置は、携帯電話機の本体を構成する筐体５１１に開けた表示窓５１４に対応させて液晶表示パネル５を配置し、表示窓５１４にはアクリルパネル５１２を取り付けている。又、アクリルパネル５１２と液晶表示パネル５との間には、スペーサ５１５が配置されることにより、空気層５１３が形成されている。
【０００４】
携帯電話機用の液晶表示装置は、図４に示したように、通常、アクリルパネル５１２が液晶表示パネル５の面上に直接配置されることはない。これは、そのように配置すると、外部衝撃を液晶表示パネル５が直接受けてしまったり、光学的な干渉縞の発生によって液晶表示パネル５の表示の視認性低下を招いたり等の不具合が生じるためである。したがって、携帯電話機用の液晶表示装置はその性質上、アクリルパネル５１２と液晶表示パネル５との間には空間保持のための空気層５１３が必要となっている。
【０００５】
液晶表示パネル５は、ガラス基板５０１とガラス基板５０５とを液晶スペーサ５１６を挟んで間隔をおいて配置し、この間隔部分を封止するシール材によって区画された空間の中に液晶を注入して液晶層５０３を形成し、更に、ガラス基板５０１及び５０５それぞれの液晶層５０３側とは反対側に偏光板５０６を配置した積層構造を持つ。
【０００６】
又、液晶表示パネル５の下段にはバックライトモジュール５０８を配置し、このバックライトモジュール５０８を、バックライト用のフレーム５０９で覆い、フレーム５０９をネジ５１０により筐体５１１に固定している。
【０００７】
ガラス基板５０１の液晶層５０３側の面には透明電極５０２のパターンが形成されており、この透明電極５０２のパターンには液晶層５０３を駆動する電気信号を出力するドライバＩＣとしての半導体チップを導通搭載している。
【０００８】
ガラス基板５０５の液晶層５０３側の面には、液晶の表示画素毎に対応した透明電極５０４のパターンが形成され、透明電極５０２と同様、液晶層５０３を駆動する電気信号を出力するドライバＩＣとしての半導体チップを導通搭載している。
【０００９】
このような構成の液晶表示パネル５では、操作部等による操作信号にしたがって半導体チップが画像形成信号を出力し、この画像形成信号に基づいて液晶層５０３を駆動して文字や図形を表示することができる。
【００１０】
上記のように構成された従来の携帯電話機に搭載される液晶表示装置の駆動方式としては複数のものが存在するが、色ムラ等の各種問題が少ない１Ｈ反転駆動方式という駆動方式が主に用いられている。
【００１１】
又、一般的な電子機器（プロジェクタ等）に用いられる従来の液晶表示装置として、液晶表示パネルの表面にダストが付着するのを低減するために、液晶表示パネルの略表面全体を透明導電性膜で覆って、この透明導電性膜をアースする構成を有するものが開示されている（例えば、特許文献１参照）。
【００１２】
【特許文献１】
特開２０００−１４７４７０号公報
【００１３】
【発明が解決しようとする課題】
一般に、液晶表示パネルは、液晶層を挟む電極に駆動電圧を印加する必要があるが、上記１Ｈ反転駆動方式における駆動電圧は大きく、電極にかかる信号波形の周波数が人間の耳に聞こえる可聴周波数（４０Ｈｚ〜２０ｋＨｚ）の帯域に入ってしまう。この為、１Ｈ反転駆動方式によって表示動作している液晶表示パネルでは、この周波数が人間にとって雑音（音鳴り）として聞こえてしまうことがある。
【００１４】
又、１Ｈ反転駆動方式以外にも、電極にかかる信号波形の周波数が可聴周波数となるような駆動方式を用いた場合、上記と同様に雑音が発生する。しかし、この音鳴りは、通常動作中においては小さな音である為、人間が普通に使用している場合には問題ない。
【００１５】
ところが、図４に示した構成の液晶表示装置では、アクリルパネル５１２に付着した汚れを取る為に、人間が指でアクリルパネル５１２をこすったり、人間がアクリルパネル５１２を指で押して、アクリルパネル５１２と偏光板５０６とを接触させたりすると、アクリルパネル５１２には静電気が帯電してしまう。
【００１６】
アクリルパネル５１２が静電気等により帯電すると、図４に示した構成の液晶表示装置では、帯電したアクリルパネル５１２及び透明電極５０２の２つの構成が静電スピーカ構造を形成してしまう。以下、静電スピーカについて説明する。
【００１７】
図５は、静電スピーカの構成図である。同図に示したように、静電スピーカとは、振動板電極６０１とその背面に対極６０２を設け、両極間に大きな直流電圧（対極６０２のバイアス電圧Ｅ０）と交流電圧（振動板電極６０１に印加される交流電圧Ｅ）とを重ねて印加すると、その電圧に相応した静電的な吸引力が発生して、振動板電極６０１が振動し、その振動が音として出力される構成のものである。
【００１８】
図４に示したような液晶表示装置では、静電気により帯電したアクリルパネル５１２が図５の振動板電極６０１に相当し（図５の電圧Ｅは、静電気に相当）、透明電極５０２が図５の対極６０２に相当する為、アクリルパネル５１２と透明電極５０２は静電スピーカを形成することになる。
【００１９】
したがって従来の液晶表示装置では、アクリルパネル５１２の帯電により、上記のような静電スピーカ構造が形成されることで、透明電極５０２にかかる電圧の信号波形の周波数が増幅されてしまう為、アクリルパネル５１２が帯電していないときに比べて非常に大きい雑音が発生してしまうという問題があった。又、上記増幅された周波数が、人間にとって感度が敏感な４００Ｈｚ〜１３ｋＨｚの周波数になるような場合は、上記雑音の影響が特に大きかった。
【００２０】
図５に示した静電スピーカの振動板電極６０１を振動させる力Ｆは、静電気学の理論により以下の数式１のように求められる。
【００２１】
【数式１】
2004258190.tif 000003
【００２２】
数式１より明らかなように、振動板電極６０１を振動させる力Ｆは、振動板電極６０１と対極６０２との間の距離の２乗に反比例して大きくなり、この力Ｆに比例して雑音の音圧レベルも大きくなる。
【００２３】
前述したように、携帯電話機には薄型化が必須課題となっている為、アクリルパネル５１２と液晶表示パネル５との距離は小さい方が好ましいが、アクリルパネル５１２と液晶表示パネル５との距離を小さくすればする程、アクリルパネル５１２と透明電極５０２とがより近づき、アクリルパネル５１２を振動させる力Ｆが大きくなる為、上記の雑音は無視できない問題となってしまう。したがって、携帯電話機等の携帯端末に搭載された液晶表示装置においては（特に液晶表示装置部分を薄くなるように構成したもの）上記雑音の発生が大きな問題となっていた。
【００２４】
以上説明した雑音の問題は、液晶表示装置の駆動周波数を非常に低い周波数（例えば４０Ｈｚ以下）や非常に高い周波数（例えば２０ｋＨｚ以上）にし、静電スピーカによって増幅された音圧レベルを、人間の可聴帯域にならないようにすることで解決することが可能である。
【００２５】
しかしながら、携帯電話機等の携帯端末に搭載される液晶表示装置は、表示面積や表示能力の制限、消費電力の制限等がある為、非常に高い周波数で駆動させることは難しい。一方、低い周波数で駆動させることは可能だが、この場合は液晶の表示能力が低くなってしまう為、好ましくない。
【００２６】
特許文献１に記載の液晶表示装置は、上記のような空気層が存在しない構成のものであり、携帯端末用に搭載することは難しい。
【００２７】
本発明は、上記事情に鑑みて為されたものであり、必要な表示能力を維持しつつ、人為的操作による雑音の発生を抑制することが可能な携帯端末用表示装置及びこれを備えた携帯端末装置を提供することを目的とする。
【００２８】
【課題を解決するための手段】
本発明の携帯端末用表示装置は、所定の電圧を印加して駆動する駆動電極を有する表示素子と、前記表示素子の表示面側に対向して設けた前記表示素子を保護する面状の保護部材とを備えた携帯端末用表示装置であって、前記保護部材のいずれかの面に、前記保護部材への帯電を防止する帯電防止層を設けた。
【００２９】
この構成により、人為的操作による保護部材への帯電が防止され、保護部材の振動が抑制される為、必要な表示能力を維持しながらでも、携帯端末用表示装置の動作中に発生する雑音の増幅を抑制することが可能となる。したがって、人為的操作による雑音発生の少ない携帯端末用表示装置を提供することができる。
【００３０】
又、本発明の携帯端末用表示装置は、前記表示素子と前記保護部材との間に、前記帯電防止層を更に設けた。
【００３１】
又、本発明の携帯端末用表示装置は、前記表示素子の表示面に、前記帯電防止層を更に設けた。
【００３２】
又、本発明の携帯端末用表示装置は、前記表示素子の表示面には偏光板が設けられ、前記帯電防止層は、前記偏光板の前記保護部材と対向する面に設けたものである。
【００３３】
又、本発明の携帯端末用表示装置は、前記更に設けられた帯電防止層と前記保護部材との間に、前記帯電防止層を更に設けた。
【００３４】
又、本発明の携帯端末用表示装置は、前記帯電防止層を所定の電位に電気的に接続した。
【００３５】
以上の構成により、保護部材への帯電防止効果を上げることができる為、雑音の増幅をより抑制することが可能となる。
【００３６】
本発明の携帯端末装置は、請求項１〜６のいずれか記載の携帯端末用表示装置と、前記携帯端末用表示装置の前記保護部材と同一面で、且つ前記携帯端末用表示装置の近傍に設けられた受話を行うための受話部とを備える。
【００３７】
この構成のように、ユーザが受話部に耳を近づけて受話を行うことで、携帯端末用表示装置に耳が近づくような場合でも、請求項１〜６のいずれか記載の携帯端末用表示装置により得られる雑音抑制効果により、ユーザは雑音を気にすることなく受話等を行うことができる。
【００３８】
【発明の実施の形態】
以下、本発明の実施形態について図面を参照して説明する。
図１は、本発明の実施形態に係る携帯電話機に適用した液晶表示装置の要部を示す縦断面図である。本実施形態に係る液晶表示装置は、携帯電話機の本体を構成する筐体１１１に開けた表示窓１１４に対応させて液晶表示パネル１を配置し、表示窓１１４には、液晶表示パネル１を汚れや衝撃等から保護する為の保護部材であるアクリルパネル１１２を取り付けている。尚、アクリルパネル１１２の代わりにポリカーボネイト樹脂により成形した保護部材を用いても良い。
【００３９】
アクリルパネル１１２の空気層１１３と対向する面と反対面（以下、アクリルパネル１１２の表面という）には、人為的操作等（指によるこすりや押し等）による静電気の帯電を防止する為の帯電防止層１１６が設けられている。又、アクリルパネル１１２と液晶表示パネル１との間には、スペーサ１１５が配置されることにより、空気層１１３が形成されている。
【００４０】
帯電防止層は、物理的、化学的に帯電しにくい物質層で形成してもよいし、帯電してもすぐに分散できるよう導電性を有した導電層であってもかまわない。尚、ここでいう層とは、厚みを有している必要はなく、例えば表面処理などで帯電が防止されるようにしても構わない。
【００４１】
帯電防止層として導電層を用いた場合は、アクリルパネル１１２に発生してしまった電荷を、導電層が施されている面積全体に拡散することで、静電気が任意の部分に集中してしまうことを防ぐことが可能な為、結果的にアクリルパネル１１２への帯電が防止される。
【００４２】
液晶表示パネル１は、ガラス基板１０１とガラス基板１０５とを液晶スペーサ１１８を挟んで間隔をおいて配置し、この間隔部分を封止するシール材によって区画された空間の中に液晶を注入して液晶層１０３を形成し、更に、ガラス基板１０１の液晶層１０３側とは反対側の面に偏光板１０６を配置した積層構造を持つ。
【００４３】
偏光板１０６の空気層１０３と対向する面には、アクリルパネル１１２と同様に帯電防止層１１７が設けられている。
【００４４】
液晶表示パネル１の下段にはバックライトモジュール１０８を配置し、このバックライトモジュール１０８を、バックライト用のフレーム１０９で覆い、フレーム１０９をネジ１１０により筐体１１１に固定している。
【００４５】
ガラス基板１０１の液晶層１０３側の面には透明電極１０２のパターンが形成されており、この透明電極１０２のパターンには液晶層１０３を駆動する電気信号を出力するドライバＩＣとしての半導体チップを導通搭載している。
【００４６】
ガラス基板１０５の液晶層１０３側の面には、液晶の表示画素毎に対応した透明電極１０４のパターンが形成され、透明電極１０２と同様、液晶層１０３を駆動する電気信号を出力するドライバＩＣとしての半導体チップを導通搭載している。
【００４７】
尚、本実施形態に係る液晶表示装置は、１Ｈ反転駆動方式に基づく駆動電圧（所定の電圧）によって駆動されるものであるが、駆動方式はこれに限らず、例えば、２Ｈ反転駆動方式やその他の駆動方式であっても良い。但し、透明電極１０２にかかる信号の周波数が人間の可聴周波数である駆動方式が、携帯端末に搭載される液晶表示装置の表示面積や表示能力の制限、消費電力の制限等の条件を満たしながら充分な表示能力を得ることが可能な為、好ましい。
【００４８】
又、本実施形態で言う周波数とは、規則正しい周波数を持つ駆動周波数に限るものではなく、駆動信号を周波数分解したときに観測される周波数成分のことも含む。
【００４９】
このような構成の液晶表示パネル１では、操作部等による操作信号にしたがって半導体チップが画像形成信号を出力し、この画像形成信号に基づいて液晶層１０３を駆動して文字や図形を表示する。又、動作時（画像等を表示しているとき）に、アクリルパネル１１２が押下されたり、こすったりされた場合でも、帯電防止層１１６及び１１７の帯電防止作用により、アクリルパネル１１２や偏光板１０６への帯電は極力少なくなるように構成されている。
【００５０】
次に、図１に示した構成の液晶表示装置の動作について説明する。
図１に示した液晶表示装置のアクリルパネル１１２を指でこすった場合、帯電防止層１１６の帯電防止作用により、アクリルパネル１１２への帯電は防止される。したがって、アクリルパネル１１２と透明電極１０２とは図５に示したような静電スピーカとして動作しなくなり、雑音が増幅されることはなくなる。
【００５１】
又、アクリルパネル１１２を指で強く押すことで、アクリルパネル１１２と偏光板１０６とが接触した場合でも、偏光板１０６上の帯電防止層１１７の帯電防止作用により、偏光板１０６は帯電しない。この為、偏光板１０６に接触するアクリルパネル１１２への帯電は防止される。したがって、アクリルパネル１１２と透明電極１０２とは図５に示したような静電スピーカとして動作しなくなり、雑音が増幅されることはなくなる。
【００５２】
尚、上記の説明では、アクリルパネル１１２と偏光板１０６の両方に帯電防止層を設ける構成としたが、アクリルパネル１１２のみに帯電防止層を設ける構成としても、アクリルパネル１１２への帯電を防止することは可能である。
【００５３】
又、帯電防止層は、アクリルパネル１１２の表面だけでなく、裏面又は両面に設ける構成としても良い。アクリルパネル１１２の両面に帯電防止層を設けた場合には、一方の面にのみ帯電防止層を設けた場合に比べ、アクリルパネル１１２への帯電を強く抑えることができる為、雑音の増幅をより抑制することが可能である。
【００５４】
又、アクリルパネル１１２の両面と、液晶表示パネル１の空気層１１３に対向する表面（偏光板１０６がない場合はガラス基板１０１の表面）とにそれぞれ帯電防止層を設ける構成とすれば、アクリルパネル１１２への帯電をより防止することが可能である。
【００５５】
又、図１には図示していないが、アクリルパネル１１２と液晶表示パネル１との間、即ち図１の空気層１１３に、帯電防止層（例えば、帯電防止処理を施した透明部材等をスペーサ等を介して配置する）を更に設ける構成とすれば、アクリルパネル１１２への帯電をより防止することが可能である。
【００５６】
又、アクリルパネル１１２の少なくとも一方の面と、アクリルパネル１１２と液晶表示パネル１との間に帯電防止層を設ける構成（液晶表示パネル１の表面には帯電防止層を設けない構成）でも、同様にアクリルパネル１１２への帯電を防止することが可能である。
【００５７】
次に、図１に示した構成の液晶表示装置を動作させたときに発生する雑音の音圧レベルを、透明電極１０２に印加される画像信号周波数毎に測定した結果について、図面を参照して説明する。尚、本実施形態では、従来との違いを明らかにする為に、アクリルパネル１１２と偏光板１０６に帯電処理を施していない従来の液晶表示装置（図４に示した液晶表示装置）を１Ｈ反転駆動方式で動作させたときの測定結果も併せて説明する。
【００５８】
図２は、従来の液晶表示装置を動作させた際に発生する雑音をマイクロホンで取り込み、これを周波数分解した結果を示す図であり、（ａ）は通常使用時、（ｂ）はアクリルパネルを指で押した場合、（ｃ）はアクリルパネルをこすったときの結果を示す図である。尚、図２において、横軸は雑音の周波数成分、縦軸はその周波数成分における雑音の音圧レベルを表す。
【００５９】
図３は、本実施形態に係る液晶表示装置を動作させた際に発生する雑音をマイクロホンで取り込み、これを周波数分解した結果を示す図であり、（ａ）は通常使用時、（ｂ）はアクリルパネルを指で押した場合、（ｃ）はアクリルパネルをこすったときの結果を示す図である。尚、図３において、横軸は雑音の周波数成分、縦軸はその周波数成分における雑音の音圧レベルを表す。
【００６０】
図２に示したように、従来のようにアクリルパネルと偏光板に帯電処理を施していない場合、（ａ）の通常使用時では、測定環境からくるバックグラウンドノイズ以外にはほとんど雑音が観測されないが、（ｂ）及び（ｃ）の状態では、５．６ｋＨｚ付近と１１ｋＨｚ付近と１７ｋＨｚ付近とにバックグラウンドノイズの音圧レベルを遥かに超える雑音が観測された。
【００６１】
本実施形態では、透明電極５０２に印加した電気信号の周波数が５．６ｋＨｚであるため、上述した静電スピーカのメカニズムにより、この電気信号がアクリルパネル５１２の振動に変換され、この振動により、５．６ｋＨｚ付近に雑音が発生している。又、定常的な振動の場合、その振動周波数の整数倍の周波数も安定に存在できるため、図２（ｂ）、（ｃ）に示したように、５．６ｋＨｚの２倍音成分として１１ｋＨｚ付近に雑音が観測され、５．６ｋＨｚの３倍音成分として１７ｋＨｚ付近に雑音が観測されている。
【００６２】
尚、図２（ｂ）に示したように、アクリルパネルを指で押した場合に発生する雑音の音圧レベルは５．６ｋＨｚ付近において約１５ｄＢであり、図２（ｃ）に示したように、アクリルパネルをこすったときに発生する雑音の音圧レベルは５．６ｋＨｚ付近において約１６ｄＢであった。
【００６３】
一方、図３に示したように、アクリルパネル１１２の表面と偏光板１０６の空気層１０３に対向する面に帯電防止層を設けた場合、（ａ）の通常使用時は勿論、アクリルパネル１１２を指で押したり、こすったりした結果である（ｂ）や（ｃ）においても、バックグランドノイズ以外の雑音は観測されなかった。
【００６４】
したがって、アクリルパネルを押下したり、こすったりした場合でも、通常使用時とほぼ変わらない音圧レベルを維持することができた。この為、人為的操作による雑音が大幅に低減されたことが分かる。
【００６５】
以上のように、本実施形態に係る液晶表示装置によれば、アクリルパネル１１２の表面と偏光板１０６の空気層１０３と対向する面側にそれぞれ帯電防止層を設けたことにより、アクリルパネル１１２の押下時及びこすり時においても、アクリルパネル１１２及び偏光板１０６への帯電が防止される。この為、アクリルパネル１１２と透明電極１０２とが静電スピーカ構造を形成しなくなり、動作中に発生する雑音の音圧レベルを、通常使用時とほぼ変わらない音圧レベルに維持することができる。したがって、液晶表示装置の動作中における雑音の発生を抑制しつつ、携帯電話機の薄型化や小型化といった必須課題を満たすことが可能となる。
【００６６】
又、偏光板１０６に帯電防止層を設けない場合でも、アクリルパネル１１２への帯電は防止される為、帯電防止処理を全く行わない従来に比べ、雑音の増幅を抑制することが可能となる。
【００６７】
尚、本実施形態において、帯電防止層あるいは導電層を所定電位に電気的に接続することで、特に有用な効果が得られる。帯電防止層あるいは導電層が所定電位に電気的に接続されていれば、この電気的接続をかえしてアクリルパネルに発生する電荷を逃がすことができ、単位面積あたりの電荷量を更に減らすことができる。したがって、人間の指等でアクリルパネル１１２を非常に強くこすり、大量の静電気が発生してしまうような場合でも、帯電防止層による帯電作用と電気的接続による電荷放電作用の２つの作用により、大量の静電気の発生を防止することができる。
【００６８】
又、本発明は、アクリルパネル１１２が振動するような構成を有する表示装置において発生する課題を解決する為のものである。本実施形態では、アクリルパネル１１２と偏光板１０６との間に空気層１１３を設けることで、アクリルパネル１１２が振動するような構成となっているが、これは空気層に限ることはなく、保護部材であるアクリルパネル１１２が振動することができる構成であれば良い。
【００６９】
例えば、弾性を有する弾性体層であっても良いし、アクリルパネル１１２と偏光板１０６とを完全に接触させた構成でも、アクリルパネル１１２が振動するような場合（例えば、将来的に、アクリルパネル１１２を装着する筐体自体がフレキシブルな素材で作られたような場合）には、上記課題が発生する為、本実施形態で説明した帯電防止処理が効果を発揮する。
【００７０】
又、本実施形態では、液晶表示装置を例に挙げて説明しているが、これに限るものでなく、駆動用の電極（本実施形態の場合は透明電極１０２）と振動する薄い板（本実施形態の場合はアクリルパネル１１２）があり、駆動用の電極に可聴域の周波数の信号を印可して動作させるような全ての表示装置において上述した効果を得ることができる。例えば、液晶の代わりに有機ＥＬ素子等を用いた表示装置が挙げられる。
【００７１】
又、本実施形態で説明した液晶表示装置は、携帯電話機等の携帯端末に搭載された場合に、特に効果を発揮する。例えば、携帯電話機の場合、一般的に受話部と表示装置とは同一筐体の同一面において互いに近接して配設されており、通常使用時には、受話部から出力される音声（通話相手の声、通話相手の呼び出し音、発信音、携帯電話機内部に記録されたメッセージ等）を聞くために受話部付近に耳を近づける必要がある。この際、ユーザは、表示装置の近傍にも耳を近づけることとなり、小さな雑音であっても感知してしまい、快適な通話を実現できない。
【００７２】
そこで、本実施形態のような液晶表示装置を搭載することで、その液晶表示装置の保護部材と同一面で且つ液晶表示装置の近傍に受話部が配設されている構造の携帯電話機であっても、ユーザは、雑音を気にすることなく通話を行うことができる。
【００７３】
【発明の効果】
本発明によれば、必要な表示能力を維持しつつ、人為的操作による雑音の発生を抑制することが可能な携帯端末用表示装置及びこれを備えた携帯端末装置を提供することができる。
【図面の簡単な説明】
【図１】本発明の実施形態に係る携帯電話機に適用した液晶表示装置の要部を示す縦断面図である。
【図２】従来の液晶表示装置を動作させた際に発生する雑音をマイクロホンで取り込み、これを周波数分解した結果を示す図であり、（ａ）は通常使用時、（ｂ）はアクリルパネルを指で押した場合、（ｃ）はアクリルパネルをこすったときの結果を示す図である。
【図３】本実施形態に係る液晶表示装置を動作させた際に発生する雑音をマイクロホンで取り込み、これを周波数分解した結果を示す図であり、（ａ）は通常使用時、（ｂ）はアクリルパネルを指で押した場合、（ｃ）はアクリルパネルをこすったときの結果を示す図である。
【図４】携帯電話機に適用した従来の液晶表示装置の要部を示す縦断面図である。
【図５】静電スピーカの構成図である。
【符号の説明】
１、５  液晶表示パネル
１０１、１０５、５０１、５０５  ガラス基板
１０２、１０４、５０２、５０４  透明電極
１０３、５０３  液晶層
１０６、５０６  偏光板
１０８、５０８  バックライト用モジュール
１０９、５０９  フレーム
１１０、５１０  ネジ
１１１、５１１  筐体
１１２、５１２  アクリルパネル
１１３、５１３  空気層
１１４、５１４  表示窓
１１５、５１５  スペーサ
１１６、１１７  帯電防止層
１１８、５１６  液晶スペーサ
【図１】
2004258190.tif 000004
【図２】
2004258190.tif 000005
【図３】
2004258190.tif 000006
【図４】
2004258190.tif 000007
【図５】
2004258190.tif 000008